(57)【要約】【課題】空調システムにおいて、各種エアーのエアー流量を一目で把握することができる空調システム表示装置、空調システム表示装置の表示方法、プログラムを提供することをその課題とする。【解決手段】空調室１１０に導かれるサプライエアーＳＡ、空調室１１０から空調機１２０に導かれるリターンエアーＲＡ、外部から空調機１２０に導かれるアウトサイドエアーＯＡおよび空調室１１０から外部にリークするブレイクエアーＢＡのエアー流量をそれぞれ取得するエアー流量取得手段と、空調機１２０、空調室１１０、および上述の各エアー流路１３１，１３２，１３３，１３４，１３５をそれぞれイメージ表示すると共に、取得した各エアー流量をそれぞれ数値表示する表示手段と、を備えたものである。【選択図】図３
2007139362.tif 000002
【特許請求の範囲】
【請求項１】
空調機から当該空調機により空調される空調室に導かれるサプライエアー、前記空調室から前記空調機に導かれるリターンエアー、外部から前記空調機に導かれるアウトサイドエアーおよび前記空調室から外部にリークするブレイクエアーのエアー流量をそれぞれ取得するエアー流量取得手段と、
前記空調機、前記空調室、前記サプライエアーのサプライエアー流路、前記リターンエアーのリターンエアー流路、前記アウトサイドエアーのアウトサイドエアー流路、および前記ブレイクエアーのブレイクエアー流路をそれぞれイメージ表示すると共に、取得した前記各エアー流量をそれぞれ数値表示する表示手段と、を備えたことを特徴とする空調システム表示装置。
【請求項２】
前記エアー流量取得手段は、前記空調室から強制排気されるエギゾストエアーのエアー流量をさらに取得し、
前記表示手段は、前記エギゾストエアーのエギゾストエアー流路をさらにイメージ表示すると共に、取得した前記エギゾストエアーのエアー流量をさらに数値表示することを特徴とする請求項１に記載の空調システム表示装置。
【請求項３】
前記エアー流量取得手段は、前記空調室の換気回数をさらに取得し、
前記表示手段は、取得した前記換気回数をさらに数値表示することを特徴とする請求項１または２に記載の空調システム表示装置。
【請求項４】
前記表示手段は、前記各イメージ表示と前記各数値表示とを対応させて表示することを特徴とする請求項１ないし３のいずれかに記載の空調システム表示装置。
【請求項５】
前記空調室の温度および前記アウトサイドエアーの温度を取得するエアー温度取得手段をさらに備え、
前記表示手段は、取得した前記空調室の温度および前記アウトサイドエアーの温度をさらに数値表示することを特徴とする請求項１ないし４のいずれかに記載の空調システム表示装置。
【請求項６】
前記各エアー流量は、互いの関係を所定の計算式で表すことが可能であり、
前記エアー流量取得手段は、前記各エアー流量のうち何れかのエアー流量を、前記計算式に他のエアー流量を代入することにより取得することを特徴とする請求項１ないし５のいずれかに記載の空調システム表示装置。
【請求項７】
表示された前記各エアー流量を変更するエアー流量変更手段、をさらに備え、
前記エアー流量取得手段は、前記エアー流量の変更に伴い、変更された前記エアー流量を前記計算式に代入することにより他のエアー流量を再取得するとともに、
前記表示手段は、前記エアー流量の変更に伴い、変更された前記エアー流量および再取得した前記エアー流量を数値表示することを特徴とする請求項６に記載の空調システム表示装置。
【請求項８】
空調機から当該空調機により空調される空調室に導かれるサプライエアー、前記空調室から前記空調機に導かれるリターンエアー、外部から前記空調機に導かれるアウトサイドエアーおよび前記空調室から外部にリークするブレイクエアーのエアー流量をそれぞれ取得するエアー流量取得工程と、
前記空調機、前記空調室、前記サプライエアーのサプライエアー流路、前記リターンエアーのリターンエアー流路、前記アウトサイドエアーのアウトサイドエアー流路、および前記ブレイクエアーのブレイクエアー流路をそれぞれイメージ表示すると共に、取得した前記各エアー流量をそれぞれ数値表示する表示工程と、を実行することを特徴とする空調システム表示装置の表示方法。
【請求項９】
コンピュータに、請求項１ないし７のいずれかに記載の空調システム表示装置における各手段を実行させることを特徴とするプログラム。
【発明の詳細な説明】
【技術分野】
【０００１】
本発明は、空調システムのイメージ図を表示する空調システム表示装置、空調システム表示装置の表示方法、プログラムに関するものである。
【背景技術】
【０００２】
従来、半導体や精密機器の製造、また医薬品の製造や医療用の施設として、気流や温湿度等を必要に応じてコントロールできる空調設備を有し、一定レベルの清浄度を保障するクリーンルームが使用されている（例えば特許文献１参照）。ところで、上述のようにこの種のクリーンルームは、室内に供給するサプライエアー、室外から室内へと循環するリターンエアー、室内から強制排気されるエギゾストエアー等のエアー流量をコントロールすることにより一定レベルの清浄度が維持されるものであり、各エアーのエアー流量はクリーンルームの設計段階においてそれぞれ所定の値に設定されていることが一般的である。
【特許文献１】特開平０９−０５３８４８号公報
【発明の開示】
【発明が解決しようとする課題】
【０００３】
しかしながら、クリーンルームの増改築や室内に設置する機器の種別および稼動状況、並びに出入口での人の出入り頻度の変化等に起因して、上述した各エアーのエアー流量は変動することが通常であるが、クリーンルーム運用時における各エアーのエアー流量を一括して把握することは困難であった。
【０００４】
本発明は、上記の問題に鑑み、上述のクリーンルームに代表されるような空調システムにおいて、各種エアーのエアー流量を一目で把握することができる空調システム表示装置、空調システム表示装置の表示方法、プログラムを提供することをその課題とする。
【課題を解決するための手段】
【０００５】
本発明の空調システム表示装置は、空調機から当該空調機により空調される空調室に導かれるサプライエアー、空調室から空調機に導かれるリターンエアー、外部から空調機に導かれるアウトサイドエアーおよび空調室から外部にリークするブレイクエアーのエアー流量をそれぞれ取得するエアー流量取得手段と、空調機、空調室、サプライエアーのサプライエアー流路、リターンエアーのリターンエアー流路、アウトサイドエアーのアウトサイドエアー流路、およびブレイクエアーのブレイクエアー流路をそれぞれイメージ表示すると共に、取得した各エアー流量をそれぞれ数値表示する表示手段と、を備えたことを特徴とする。
【０００６】
同様に、本発明の空調システム表示装置の表示方法は、空調機から当該空調機により空調される空調室に導かれるサプライエアー、空調室から空調機に導かれるリターンエアー、外部から空調機に導かれるアウトサイドエアーおよび空調室から外部にリークするブレイクエアーのエアー流量をそれぞれ取得するエアー流量取得工程と、空調機、空調室、サプライエアーのサプライエアー流路、リターンエアーのリターンエアー流路、アウトサイドエアーのアウトサイドエアー流路、およびブレイクエアーのブレイクエアー流路をそれぞれイメージ表示すると共に、取得した各エアー流量をそれぞれ数値表示する表示工程と、を実行することを特徴とする。
【０００７】
これらの構成によれば、上記各エアーのエアー流量を取得し、これらを空調システム各部のイメージとともに数値表示するので、ユーザがこれを視認することによって、各部のエアー流量を一目で把握することができる。さらに、各部のエアー流量を容易に把握することができることから、空調室の室内負荷に応じた最適なエアー流量の管理が容易となり、ひいては無駄な電力の消費も抑制できる。なお、エアー流量取得手段によるエアー流量の取得方法としては、ユーザがエアー流量の値を表示装置に入力することによりエアー流量取得手段がエアー流量を取得することが想定できる他、予め設定しておいた初期値を各部のエアー流量として取得してもよい。さらに、エアー流量取得手段が空調機等から実測値を直接取得してもよい。
【０００８】
この場合、エアー流量取得手段は、空調室から強制排気されるエギゾストエアーのエアー流量をさらに取得し、表示手段は、エギゾストエアーのエアー流路をさらにイメージ表示するとともに、取得したエギゾストエアーのエアー流量をさらに数値表示することが好ましい。
【０００９】
この構成によれば、空調室から強制排気されるエギゾストエアーのエアー流量を他のエアー流量とともにさらに一目で把握することが可能となる。
【００１０】
またこの場合、エアー流量取得手段は、空調室の換気回数をさらに取得し、表示手段は、取得した換気回数をさらに数値表示することが好ましい。
【００１１】
この構成によれば、空調室の換気回数を他のエアー流量とともにさらに一目で把握することが可能となる。なお、換気回数は、サプライエアーのエアー流量を空調室の容積で割った商として取得することが想定できる。
【００１２】
またこの場合、表示手段は、各イメージ表示と各数値表示とを対応させて表示することが好ましい。
【００１３】
この構成によれば、各イメージ表示と各数値表示とを対応させて表示することから、各エアー流路に対応する各エアー流量の値をさらに容易に把握することができる。
【００１４】
またこの場合、空調室の温度およびアウトサイドエアーの温度を取得する温度取得手段をさらに備え、表示手段は、取得した空調室の温度およびアウトサイドエアーの温度をさらに表示することが好ましい。
【００１５】
この構成によれば、空調室の温度およびアウトサイドエアーの温度を他のエアー流量とともにさらに一目で把握することができる。また、表示された温度を視認することにより各部のエアー流量の調整に役立てることができる。なお、温度取得手段による各温度の取得方法としては、室内（室外）に設置された測定装置から実測値を直接取得してもよいし、ユーザが各温度の実測値を表示装置に入力することにより温度取得手段が各温度を取得することが想定できる。
【００１６】
さらにこの場合、各エアー流量は、互いの関係を所定の計算式で表すことが可能であり、エアー流量取得手段は、各エアー流量のうち何れかのエアー流量を、計算式に他のエアー流量を代入することにより取得することが好ましい。
【００１７】
この構成によれば、各流路全てのエアー流量を取得することが不可能であっても、取得したエアー流量を用いた演算処理により、未取得のエアー流量を算出して取得することができる。例えば、空調室の漏れ空気となるブレイクエアーの流量は実際に測定することは困難であるが、他のエアー（例えばサプライエアー、リターンエアー、エギゾストエアー）の流量を用いてブレイクエアーの流量を求めることが可能となる。
【００１８】
この場合、表示された各エアー流量を変更するエアー流量変更手段、をさらに備え、エアー流量取得手段は、エアー流量の変更に伴い、変更されたエアー流量を計算式に代入することにより他のエアー流量を再取得するとともに、表示手段は、エアー流量の変更に伴い、変更されたエアー流量および再取得したエアー流量を表示することが好ましい。
【００１９】
この構成によれば、何れかのエアー流量を任意の値に設定したとき、他のエアー流量がどのような値に変化するかを、ユーザが瞬時に把握することができる。すなわち、本発明の空調システム表示装置を利用して、空調システムの各エアー流量に関わるシミュレーションを容易に実現し得る。
【００２０】
本発明のプログラムは、上記のいずれかに記載の空調システム表示装置における各手段をコンピュータに実行させるためのものであることを特徴とする。
【００２１】
このプログラムをコンピュータが実行することにより、各種エアーのエアー流量を一目で把握することができる空調システム表示装置を実現することができる。
【発明を実施するための最良の形態】
【００２２】
以下、本発明の一実施形態に係る空調システム表示装置、空調システム表示装置の表示方法、プログラムについて、添付の図面を参照しながら詳細に説明する。本発明の空調システム表示装置は、空調システム各部をイメージ表示するとともに、各エアー流路のエアー流量を数値表示するものである。そこで、本実施形態では、空調システム表示装置が表示対象とする空調システムをクリーンルーム（若しくはクリーンブース）の空調システムに適用し、まず空調システムの全体構成から説明する。
【００２３】
図１は、空調システム１００の全体図である。同図に示すように空調システム１００は、空調室１１０と、空調室１１０にエアーを供給する空調機１２０と、から構成されている。空調機１２０は、空調室１１０外に設けられ、外部のエアー（アウトサイドエアーＯＡ）と空調室１１０内から取り入れられるエアー（リターンエアーＲＡ）とを混合し、この混合したエアーの温度および湿度を調整し、調整したエアーをサプライエアーとして空調室１１０に供給するものである。
【００２４】
図示するように空調機１２０は、フィルタ１２１、コイル１２２、およびファン１２３を内蔵しており、フィルタ１２１は取り込んだエアーから微粒子を除去する。コイル１２２は、加熱コイルおよび冷却コイルから成り、空調機１２０を通過するエアーをそれぞれ加熱、冷却（除湿）するものである。そして、空調機１２０により温度および湿度が調整されたサプライエアーＳＡは、空調室１１０の天井面に設置されたファンフィルタユニット１１１へと供給され、このファンフィルタユニット１１１を介して空調室１１０へサプライエアーＳＡが供給される。このような制御により、サプライエアーＳＡのサプライエアー流路１３１、空調室１１０から空調機１２０に導かれるリターンエアーＲＡのリターンエアー流路１３２、外部から空調機１２０に導かれるアウトサイドエアーＯＡのアウトサイドエアー流路１３３、がそれぞれ形成される。また、空調機１２０が取り入れる外部のエアー流量は、ボリュームダンパ１２４により調整可能となっている。
【００２５】
空調室１１０のファンフィルタユニット１１１は、ＵＬＰＡフィルタ、ＨＥＰＡフィルタ等の高性能フィルタと軸流型ファン等のファン（何れも図示せず）とによって構成され、ファンにより吸引されたエアーが高性能フィルタで浄化された後、空調室１１０内の各所定範囲へと吹き出される。
【００２６】
また、空調室１１０には、空調室１１０内のエアーを室外空間へ強制排気する排気ファン１１２が設置されており、排気ファン１１２は、設定された排気量に基づいて空調室１１０内のエアーを室外へと排気する。これにより、空調室１１０内から室外（外部）へ強制排気されるエギゾストエアーＥＡのエギゾストエアー流路１３４が形成されることとなる。
【００２７】
さらに、空調室１１０には、空調室１１０内外へ出入りするための出入り口１１３が設けられ、この出入り口１１３を介して人の出入りが可能となっている。従って、ここでは空調室１１０からリークするブレイクエアーＢＡのエアー流路、すなわちブレイクエアー流路１３５が形成される。
【００２８】
続いて、図２を参照しながら本発明の一実施形態に係る空調システム表示装置１の装置構成について説明する。同図に示すように、空調システム表示装置１は、キーボードやマウス等の入力デバイス１０、入力データや処理結果を表示するディスプレイ１１、およびＣＰＵ、ＲＯＭ、ＲＡＭ、並びに入出力インターフェース等（何れも図示省略）から構成される制御部２０、を備えている。
【００２９】
制御部２０は、エアー流量取得部２１、温度取得部２２、表示部２３、エアー流量変更部２４、を備えている。エアー流量取得部２１は、上述した各エアー流路（サプライエアー流路１３１、リターンエアー流路１３２、アウトサイドエアー流路１３３、エギゾストエアー流路１３４、およびブレイクエアー流路１３５）のエアー流量を取得する。なお本実施形態では、エアー流量の取得方法として、ユーザによる入力デバイス１０を用いた入力操作によりエアー流量取得部２１が各エアー流量を取得することを想定しているが、他にも例えば空調システム表示装置１の制御部２０（例えばＲＯＭ）に各エアー流量の初期値を予め記憶し、記憶した各エアー流量を取得する構成でもよい。
【００３０】
また、可能であればエアー流量取得部２１が空調機１２０等から実測値を直接取得してもよい。さらに、エアー流量取得部２１は、空調室１１０の換気回数を取得する。この換気回数は、サプライエアーＳＡのエアー流量を空調室１１０の容積で割った商として取得することができる。すなわち、サプライエアーＳＡのエアー流量を取得すると共に換気回数を取得することができる（空調室１１０の容積は予め記憶しているものとする）。
【００３１】
温度取得部２２は、空調室１１０の温度およびアウトサイドエアーＯＡの温度を取得する。なお本実施形態では、各温度の取得方法として、温度取得部２２が測定器等から実測値を直接取得することを想定しているが、他にもユーザによる入力デバイス１０を用いた入力操作により温度取得部２２が各温度を取得してもよい。
【００３２】
表示部２３は、空調機１２０、空調室１１０、および上述の各エアー流路、のイメージ表示と、エアー流量取得部２１が取得した各エアー流路のエアー流量、および温度取得部２２が取得した各温度の数値表示と、をディスプレイ１１に表示する制御を実行する。なお、このイメージ表示と数値表示とは１つの空調システム図２００（図３参照）として表示される。なお、請求項にいう表示手段は、この表示部２３とディスプレイ１１との双方を包含するものである。
【００３３】
エアー流量変更部２４は、空調システム図２００に表示された各エアー流量の数値を変更するための制御を実行する。すなわち、このエアー流量変更部２４による制御により、ユーザは例えば入力デバイス１０を用いて空調システム図２００に表示された各エアー流量の数値を任意の値に変更することが可能となる。なお、請求項にいうエアー流量変更手段は、このエアー流量変更部２４と入力デバイス１０との双方を包含するものである。
【００３４】
また、エアー流量取得部２１、温度取得部２２、表示部２３、エアー流量変更部２４、の各機能は、ＣＰＵがＲＯＭ内の制御プログラム、若しくはＲＡＭ内に記憶された所定のプログラムに従って、入出力インターフェースを介し空調システム表示装置１の各部から各種信号・データを入力すると共に、入力した各種信号・データに基づいてＲＡＭ内の各種データを処理し、入出力インターフェースを介して空調システム表示装置１内の各部に各種信号・データを出力し、各種処理の制御を行うことによって、実現されるものである。
【００３５】
さらに、表示部２３によりディスプレイ１１に表示される空調システム図２００の詳細について説明する。図３は空調システム図２００の一例を示すものである。上述の通り、空調システム図２００には、空調機１２０、空調室１１０、および上述の各エアー流路、のイメージ表示と、エアー流量取得部２１が取得した各エアー流路のエアー流量、および温度取得部２２が取得した各温度の数値表示と、が含まれている。
【００３６】
具体的には、空調機１２０のイメージ１２０ａおよび空調室１１０のイメージ１１０ａがそれぞれ該当する位置に表示され、またこの空調機１２０および空調室１１０の各イメージに合わせてサプライエアー流路１３１のイメージ１３１ａ、リターンエアー流路１３２のイメージ１３２ａ、アウトサイドエアー流路１３３のイメージ１３３ａ、エギゾストエアー流路１３４のイメージ１３４ａ、およびブレイクエアー流路１３５のイメージ１３５ａがそれぞれ表示されている。
【００３７】
そして、これら各流路のイメージ表示に対応して、サプライエアーＳＡのエアー流量を数値表示するサプライエアー表示部２０１、リターンエアーＲＡのエアー流量を数値表示するリターンエアー表示部２０２、アウトサイドエアーＯＡのエアー流量を数値表示するアウトサイドエアー表示部２０３、エギゾストエアーＥＡのーエアー流量を数値表示するエギゾストエアー表示部２０４、およびブレイクエアーＢＡのエアー流量を数値表示するブレイクエアー表示部２０５がそれぞれ配置している。なお、表示されたこれらエアー流量の各数値は、上述のようにユーザが任意に変更可能となっている。
【００３８】
また、空調室１１０のイメージ内には、温度取得部２２が取得した空調室１１０の温度を数値表示する空調室温度表示部２０６、空調室１１０の換気回数を数値表示する換気回数表示部２０７、がそれぞれ配置している。さらに、アウトサイドエアー流路１３３のイメージ近傍には、温度取得部２２が取得したアウトサイドエアーＯＡの温度を数値表示するアウトサイドエアー温度表示部２０８が配置している。
【００３９】
ところで、本実施形態に係る空調システム表示装置１は、上述した各エアー流量について、互いの関係を表す所定の計算式をＲＯＭ内に記憶しており、エアー流量取得部２１は、各エアー流量のうち何れかのエアー流量を、記憶した計算式に他のエアー流量を代入することにより取得することができる。以下、この制御について説明する。
【００４０】
まず、各エアー流量の互いの関係を表す所定の計算式について説明する。この計算式は、例えば「ＳＡ＝ＲＡ＋ＯＡ＝ＲＡ＋ＥＡ＋ＢＡ」といった計算式で表される（ＳＡ＝サプライエアー、ＲＡ＝リターンエアー、ＯＡ＝アウトサイドエアー、ＥＡ＝エギゾストエアー、ＢＡ＝ブレイクエアー）。そして、図４のフローチャートに示すように、空調システム表示装置１は、例えばユーザが任意のエアー流量を入力することにより所定のエアー流量を取得すると（Ｓ０１）、取得したエアー流量を上述の空調システム図２００内の該当する位置に表示するとともに（Ｓ０２）、取得したエアー流量を用いて、上述の計算式により取得できるエアー流量があるか否かを判別する（Ｓ０３）。
【００４１】
上述の計算式により取得できるエアー流量がある場合（Ｓ０３：Ｙｅｓ）、空調システム表示装置１は、上述の計算式に取得したエアー流量を代入し、他のエアー流量を演算処理により取得する（Ｓ０４）。そして、演算処理により取得したエアー流量を、上述の空調システム図２００内の該当する位置に表示する（Ｓ０５）。一方、上述の計算式により取得できるエアー流量がない場合には（Ｓ０３：Ｎｏ）、そのまま処理を終了する。
【００４２】
例えば、図５（ａ）に示すように、ユーザがまずアウトサイドエアーＯＡのエアー流量「３，７００ｍ3／ｈ」を入力したとする。このとき、アウトサイドエアーＯＡのエアー流量に基づいて、上述の計算式により取得できるエアー流量がないことから、アウトサイドエアーＯＡのエアー流量「３，７００ｍ3／ｈ」のみが空調システム図２００に数値表示される。続いて、ユーザがリターンエアーＲＡのエアー流量「２２，０００ｍ3／ｈ」を入力したとする。この場合、上述の計算式によりサプライエアーＳＡのエアー流量「２５，７００ｍ3／ｈ」が取得できる。
【００４３】
従って、空調システム表示装置１は、既に表示しているアウトサイドエアーＯＡのエアー流量「３，７００ｍ3／ｈ」に加え、リターンエアーＲＡのエアー流量「２２，０００ｍ3／ｈ」、サプライエアーＳＡのエアー流量「２５，７００ｍ3／ｈ」、並びに空調室１１０の換気回数「１２．８回／ｈ」（２５，７００ｍ3／２０００ｍ3；空調室１１０の容積を２０００ｍ3とした場合）を空調システム図２００に数値表示する（同図（ｂ）参照；網掛け部は計算式により取得したものを示す；以下同様）。さらに引き続き、ユーザがエギゾストエアーＥＡのエアー流量「１，６００ｍ3／ｈ」を入力したとする。この場合、上述の計算式によりブレイクエアーＢＡのエアー流量「２，１００ｍ3／ｈ」が取得できる。
【００４４】
従って、空調システム表示装置１は、既に表示しているアウトサイドエアーＯＡ、リターンエアーＲＡ、サプライエアーＳＡの各エアー流量に加え、エギゾストエアーＥＡのエアー流量「１，６００ｍ3／ｈ」およびブレイクエアーＢＡのエアー流量「２，１００ｍ3／ｈ」を空調システム図２００に数値表示する（同図（ｃ）参照）。このように、取得したエアー流量を用いた演算処理により未取得のエアー流量を算出して取得することができるので、全てのエアー流量をユーザからの入力を介して取得する必要がない。特に、空調室１１０の漏れ空気となるブレイクエアーＢＡの流量を実際に測定することは困難であり、この制御は有効である。
【００４５】
なお、上述の説明はあくまでも一例であり、各エアー流量の入力（取得）順序は問わない。また、１のエアー流量の入力毎に計算を行うのではなく、例えば確定ボタンを設け、ユーザがエアー流量の入力操作を確定させてから計算を開始する構成でもよい。この場合、例えばユーザがアウトサイドエアーＯＡ、リターンエアーＲＡ、エギゾストエアーＥＡの各エアー流量を入力し確定を行うと、サプライエアーＳＡ、ブレイクエアーＢＡ、の各エアー流量および空調室１１０の換気回数がそれぞれ算出され表示されることとなる。
【００４６】
さらに、空調システム図２００に表示されたエアー流量が変更された場合について説明する。図６のフローチャートに示すように、空調システム表示装置１は、所定のエアー流量が変更されると（Ｓ１１）、変更されたエアー流量を空調システム図２００の該当する位置に数値表示するとともに（Ｓ１２）、変更されたエアー流量を用いて上述の計算式により取得できるエアー流量があるか否かを判別する（Ｓ１３）。上述の計算式により取得できるエアー流量がある場合（Ｓ１３：Ｙｅｓ）、空調システム表示装置１は、上述の計算式に変更されたエアー流量を代入し、他のエアー流量を演算処理により取得する（Ｓ１４）。そして、演算処理により取得したエアー流量を、上述の空調システム図２００内の該当する位置に表示する（Ｓ１５）。一方、上述の計算式により取得できるエアー流量がない場合（Ｓ１３：Ｎｏ）、そのまま処理を終了する。なお、所定のエアー流量が変更された段階で未確定となったエアー流量については、数値表示から例えばアスタリスク表示等に変更することが好ましい。
【００４７】
例えば、図５（ｃ）に示す空調システム図２００において、ユーザがサプライエアーＳＡのエアー流量「２５，７００ｍ3／ｈ」を「３２，６００ｍ3／ｈ」に変更したとする。この変更に伴い、他のエアー流量は全て未確定となるので、図７（ａ）に示すように、変更されたサプライエアーＳＡのエアー流量「３２，６００ｍ3／ｈ」のみが数値表示され、他のエアー流量は全てアスタリスク表示に変更される。また、変更されたサプライエアーＳＡのエアー流量「３２，６００ｍ3／ｈ」に基づいて空調室１１０の換気回数「１６．３回／ｈ」（３２，６００ｍ3／２０００ｍ3；空調室１１０の容積を２０００ｍ3とした場合）が再計算されて表示される（図中の網掛け部は計算式により取得したものを示す；以下同様）。続いて、ユーザがリターンエアーＲＡのエアー流量「２９，８００ｍ3／ｈ」を入力したとする。この場合、上述の計算式によりアウトサイドエアーＯＡのエアー流量「２，８００ｍ3／ｈ」が取得でき、これを入力されたリターンエアーＲＡのエアー流量とともに表示する（同図（ｂ）参照）。
【００４８】
なお、このときエギゾストエアーＥＡおよびブレイクエアーＢＡのエアー流量は未確定であるが、これら各エアーの総和は既に取得したリターンエアーＲＡおよびサプライエアーＳＡのエアー流量（或いはアウトサイドエアーＯＡのエアー流量でもよい）に基づき「２，８００ｍ3／ｈ」に特定できる。従って、エギゾストエアーＥＡおよびブレイクエアーＢＡの各エアー流量の代わりに、これらエアー流量の総和「２，８００ｍ3／ｈ」を表示してもよい。さらにこれら各エアー流量の総和「２，８００ｍ3／ｈ」を変更前のエギゾストエアーＥＡおよびブレイクエアーＢＡの比率に応じて配分し、エギゾストエアーＥＡおよびブレイクエアーＢＡの各エアー流量を算出して表示してもよい。この場合、図５（ｃ）に示す比率に応じて配分すると、エギゾストエアーＥＡのエアー流量は「１，２１１ｍ3／ｈ」となり、ブレイクエアーＢＡのエアー流量は「１，５８９ｍ3／ｈ」となる（小数点以下四捨五入）。
【００４９】
さらに引き続き、ユーザがエギゾストエアーＥＡのエアー流量「１，１００ｍ3／ｈ」を入力したとする。この場合、上述の計算式によりブレイクエアーＢＡのエアー流量「１，７００ｍ3／ｈ」が取得できる。
【００５０】
従って、空調システム表示装置１は、既に表示しているアウトサイドエアーＯＡ、リターンエアーＲＡ、サプライエアーＳＡの各エアー流量に加え、エギゾストエアーＥＡのエアー流量「１，１００ｍ3／ｈ」およびブレイクエアーＢＡのエアー流量「１，７００ｍ3／ｈ」を空調システム図２００に表示する（同図（ｃ）参照）。
【００５１】
なお、上述の説明はあくまでも一例であり、各エアー流量の変更順序は問わない。また、変更されたエアー流量の数値に矛盾が生じる場合（例えばサプライエアーＳＡ、リターンエアーＲＡの順でエアー流量が変更された場合、最初に変更されたサプライエアーＳＡのエアー流量よりも次に変更されたリターンエアーＲＡのエアー流量が多く入力される等）、これをユーザの入力ミスとみなしてエラー報知を行ってもよいし、若しくは変更された最新のエアー流量以外を再度未確定としてもよい。
【００５２】
このように、ユーザが空調システム図２００に表示された各エアー流量を変更することができ、またこのエアー流量の変更に伴い、空調システム表示装置１が、変更されたエアー流量を上述の計算式に代入して他のエアー流量を再取得するので、ユーザは、何れかのエアー流量を任意の値に設定したとき、他のエアー流量がどのような値に変化するかを瞬時に把握することができる。すなわち、表示された空調システム図２００を利用して、空調システムの各エアー流量に関わるシミュレーションを容易に実現し得る。
【００５３】
なお、本実施形態では表示装置１が表示対象とする空調システムとして、クリーンルーム（若しくはクリーンブース）の空調システムを例に挙げて説明を行ったが、他にも一般の工場やビルの空調システムにも適用可能であることは言うまでもない。
【００５４】
また、上記の例に示した、空調システム表示装置１の各機能をプログラムとして提供することも可能である。また、そのプログラムを記録媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリスティック等）、コンパクトディスク、光磁気ディスク、デジタルバーサタイルディスクおよびフレキシブルディスク、ハードディスク等を利用可能である。
【００５５】
なお、上記の実施形態における空調システム表示装置１の例によらず、装置構成や処理工程等について、本発明の要旨を逸脱しない範囲で、適宜変更も可能である。
【図面の簡単な説明】
【００５６】
【図１】空調システムの全体図である。
【図２】空調システム表示装置の装置構成図である。
【図３】空調システム図の一例を示す図である。
【図４】エアー流量の取得および表示処理を示すフローチャートである。
【図５】エアー流量の取得手順を説明するための説明図である。
【図６】エアー流量の変更に伴うエアー流量の取得および表示処理を示すフローチャートである。
【図７】エアー流量の変更に伴うエアー流量の取得手順を説明するための説明図である。
【符号の説明】
【００５７】
１…空調システム表示装置  ２０…制御部  ２１…エアー流量取得部  ２２…温度取得部  ２３…表示部  ２４…エアー流量変更部  １００・・・空調システム  １１０…空調室  １１０ａ…空調室イメージ  １１１…空調機  １１１ａ…空調機イメージ  １３１…サプライエアー流路  １３１ａ…サプライエアー流路イメージ  １３２…リターンエアー流路  １３２ａ…リターンエアー流路イメージ  １３３…アウトサイドエアー流路  １３３ａ…アウトサイドエアー流路イメージ  １３４…エギゾストエアー流路  １３４ａ…エギゾストエアー流路イメージ  １３５…ブレイクエアー流路  １３５ａ…ブレイクエアー流路イメージ  ２００…空調システム図  ２０１…サプライエアー表示部  ２０２…リターンエアー表示部  ２０３…アウトサイドエアー表示部  ２０４…エギゾストエアー表示部  ２０５…ブレイクエアー表示部  ２０６…空調室温度表示部  ２０７…換気回数表示部  ２０８…アウトサイドエアー温度表示部  ＳＡ…サプライエアー  ＲＡ…リターンエアー  ＯＡ…アウトサイドエアー  ＥＡ…エギゾストエアー  ＢＡ…ブレイクエアー
【図１】
2007139362.tif 000003
【図２】
2007139362.tif 000004
【図３】
2007139362.tif 000005
【図４】
2007139362.tif 000006
【図５】
2007139362.tif 000007
【図６】
2007139362.tif 000008
【図７】
2007139362.tif 000009